(57)【要約】      （修正有）【課題】売り上げに応じた適切な書棚で陳列するように書棚の整理作業を支援することができる書棚整理支援装置及び書棚整理支援プログラムを提供する。【解決手段】端末装置４は、１週間毎にサーバで生成される陳列推奨書籍情報を取得するプロセッサ４１と、整理対象とする書棚を選択するとともに、プロセッサ４１が取得した陳列推奨書籍情報が表示されるタッチパネルディスプレイ４５と、を有している。そして、タッチパネルディスプレイ４５に表示される際に視覚的に識別可能な所定の属性が書棚毎に定められている。そして、タッチパネルディスプレイ４５で選択された書棚についての陳列推奨書籍情報において、今週陳列を推奨する書籍は当該選択された書棚と同じ色で表示され、先週陳列を推奨していたが今回は推奨外となった書籍は今回陳列を推奨する書棚と同じ色で表示されている。【選択図】図２
2019219860.tif 000002
【特許請求の範囲】
【請求項１】
書店で販売される書籍が陳列された書棚の整理作業を支援する書棚整理支援装置であって、
整理対象とする書棚を選択する選択手段と、
所定間隔で生成される書棚毎の陳列を推奨する書籍情報を取得する書籍情報取得手段と、
前記書籍情報取得手段が取得した前記書籍情報を表示する表示手段と、を有し、
前記書棚には、前記表示手段に表示される際に視覚的に識別可能な所定の属性が書棚毎に定められ、
前記選択手段で選択された書棚についての前記書籍情報は、今回陳列を推奨する書籍は当該選択された書棚と同じ属性が付与されて前記表示手段に表示され、前回陳列を推奨していたが今回は推奨外となった書籍は今回陳列を推奨する書棚の属性が付与されて前記表示手段に表示されている、
ことを特徴とする書棚整理支援装置。
【請求項２】
前記属性は、前記表示手段に表示される色であることを特徴とする請求項１に記載の書棚整理支援装置。
【請求項３】
前記陳列を推奨する書籍情報は、前記書棚の整理作業を行う対象書店を含む複数書店の売上実績情報に基づいて生成されていることを特徴とする請求項１または２に記載の書棚整理支援装置。
【請求項４】
書店で販売される書籍が陳列される書棚の整理作業を支援する書棚整理支援プログラムであって、
コンピュータを、
整理対象とする書棚を選択させる選択手段から選択結果を取得する選択結果取得手段と、
所定間隔で生成される書棚毎の陳列を推奨する書籍情報を取得する書籍情報取得手段と、
前記書籍情報取得手段が取得した前記書籍情報を表示手段に表示させる表示制御手段と、として機能させ、
前記書棚には、前記表示手段に表示される際に視覚的に識別可能な所定の属性が書棚毎に定められ、
前記表示制御手段は、前記選択結果取得手段が取得した選択結果である選択された書棚についての前記書籍情報において、今回陳列を推奨する書籍には当該選択された書棚と同じ属性が付与されて前記表示手段に表示させ、前回陳列を推奨していたが今回は推奨外となった書籍には今回陳列を推奨する書棚の属性が付与されて前記表示手段に表示させる、
ことを特徴とする書棚整理支援プログラム。
【発明の詳細な説明】
【技術分野】
【０００１】
本発明は、書店において書棚を整理する場合における、整理作業を支援する書棚整理支援装置及び書棚整理支援プログラムに関する。
【背景技術】
【０００２】
毎年おびただしい数の新刊書籍が発行され、書店の書棚等に載置できる書籍数には限りがあるため、書店では書籍の入れ替えを頻繁に行っている。我が国では、書籍に関して委託販売制度が採用されており、同制度の下では、一定期間書棚に載置したが販売に至らなかった書籍は、取次店に返品することができる。そのため、上記書籍の入れ替えに当たっては、書棚に配置しても販売の見込みが薄い書籍を、売れ行きが好調な書籍、すなわち、販売の見込みが大きい書籍と入れ替えている。
【０００３】
ところで、書店における書籍の陳列方法としては、平台（平積ともいう）、面陳（面陳列ともいう）、棚挿（背挿しともいう）がある。これらの陳列方法は、通常売れる（売りたい）順に平台、面陳、棚挿となる。そのため、書籍の入れ替えは、いきなり返品するのではなく、販売実績等に基づいて平台から面陳や棚挿に陳列位置（書棚）を移動させてから返品に至るのが一般的である。
【０００４】
従来、書棚における書籍の入れ替え（整理）に当たっては、書店の仕入れ担当者が、各書籍の売れ行きや自己の書店書棚の在庫情報を参考にしながら、経験に基づき行っていた。しかしながら、一日に発刊される新刊書籍は２００ないし３００冊、１年間ではおよそ１０万の新刊書籍が発刊されており、この中から売れ筋の商品を見極め、平台や面陳などの売上が見込める陳列方法を決定することは非常に困難であり、販売の機会を逸したり、販売見込みの少ない在庫を発生させたりしがちであるため、より収益性の高い書店に成長させることが困難であった。
【０００５】
ここで、例えば特許文献１には、書店端末装置から送信された書籍画像をコード化し、コード化した書籍画像コード化情報とデータベース内の書籍画像コード化情報を照合することにより、在庫確認をすることが記載されている。
【先行技術文献】
【特許文献】
【０００６】
【特許文献１】特開２０１２−２０８５９１号公報
【発明の概要】
【発明が解決しようとする課題】
【０００７】
特許文献１に記載されたシステムでは、個々の書籍が現状どのようにレイアウトされているかを知ることは可能であるが、在庫確認を目的としたシステムであるため、書籍レイアウト（書棚における陳列）をどのようにすればよいかについては考慮されていない。
【０００８】
本発明は、上記のような問題点を解決しようとするものであり、売り上げに応じた適切な書棚で陳列するように書棚の整理作業を支援することができる書棚整理支援装置及び書棚整理支援プログラムを提供することを課題とする。
【課題を解決するための手段】
【０００９】
上記課題を解決するためになされた請求項１に記載の発明は、書店で販売される書籍が陳列された書棚の整理作業を支援する書棚整理支援装置であって、整理対象とする書棚を選択する選択手段と、所定間隔で生成される書棚毎の陳列を推奨する書籍情報を取得する書籍情報取得手段と、前記書籍情報取得手段が取得した前記書籍情報を表示する表示手段と、を有し、前記書棚には、前記表示手段に表示される際に視覚的に識別可能な所定の属性が書棚毎に定められ、前記選択手段で選択された書棚についての前記書籍情報は、今回陳列を推奨する書籍は当該選択された書棚と同じ属性が付与されて前記表示手段に表示され、前回陳列を推奨していたが今回は推奨外となった書籍は今回陳列を推奨する書棚の属性が付与されて前記表示手段に表示されている、ことを特徴とする書棚整理支援装置である。
【００１０】
請求項２に記載の発明は、請求項１に記載の発明において、前記属性は、前記表示手段に表示される色であることを特徴とするものである。
【００１１】
請求項３に記載の発明は、請求項１または２に記載の発明において、前記陳列を推奨する書籍情報は、前記書棚の整理作業を行う対象書店を含む複数書店の売上実績情報に基づいて生成されていることを特徴とするものである。
【００１２】
請求項４に記載の発明は、書店で販売される書籍が陳列される書棚の整理作業を支援する書棚整理支援プログラムであって、コンピュータを、整理対象とする書棚を選択させる選択手段から選択結果を取得する選択結果取得手段と、所定間隔で生成される書棚毎の陳列を推奨する書籍情報を取得する書籍情報取得手段と、前記書籍情報取得手段が取得した前記書籍情報を表示手段に表示させる表示制御手段と、として機能させ、前記書棚には、前記表示手段に表示される際に視覚的に識別可能な所定の属性が書棚毎に定められ、前記表示制御手段は、前記選択結果取得手段が取得した選択結果である選択された書棚についての前記書籍情報において、今回陳列を推奨する書籍には当該選択された書棚と同じ属性が付与されて前記表示手段に表示させ、前回陳列を推奨していたが今回は推奨外となった書籍には今回陳列を推奨する書棚の属性が付与されて前記表示手段に表示させる、ことを特徴とする書棚整理支援プログラムである。
【発明の効果】
【００１３】
以上説明したように請求項１、４に記載の発明によれば、今回陳列を推奨する書籍には当該選択された書棚と同じ属性が付与されて表示され、前回陳列を推奨していたが今回は推奨外となった書籍には今回陳列を推奨する書棚の属性が付与されて表示されるので、書棚ごとに今回陳列を推奨する書籍が属性により区別されて表示されるため、書棚の整理作業の効率が向上し、売り上げに応じた適切な書棚で陳列することができるようになる。
【００１４】
請求項２に記載の発明によれば、属性は、表示手段に表示される色であるので、陳列を推奨する書籍とそうでない書籍とが一目瞭然に表示される。
【００１５】
請求項３に記載の発明によれば、陳列を推奨する書籍情報は、対象書店を含む複数書店の売上実績情報に基づいて生成されているので、売り上げの良い書籍を平台等の目立つ陳列にすることができる。
【図面の簡単な説明】
【００１６】
【図１】本発明の一実施形態にかかる書棚整理支援装置を有するシステムの概略構成図である。
【図２】図１に示された携帯端末の概略構成図である。
【図３】書店における書棚の説明図である。
【図４】図２に示された携帯端末の動作のフローチャートである。
【図５】図２に示された携帯端末に表示されるログイン画面の例である。
【図６】図２に示された携帯端末に表示される書棚選択時の表示例である。
【図７】図２に示された携帯端末に表示される陳列推奨書籍情報の例である。
【発明を実施するための形態】
【００１７】
本発明の一実施形態にかかる書籍整理支援装置を図１〜図７を参照して説明する。図１は、本発明の一実施形態にかかる書籍整理支援装置を含むシステムの概略構成図である。
【００１８】
図１に示したシステムは、サーバ１と、データベース２と、端末装置４と、を有している。サーバ１は、インターネット３を介して書店の店員等が操作する端末装置４と接続されている。端末装置４は、サーバ１から送信された陳列推奨書籍情報（後述する）を例えばリスト状にして表示する。
【００１９】
本発明の一実施形態にかかる書籍整理支援装置としての端末装置４は、例えばスマートフォン等の店員が片手で所持・操作ができる携帯端末で構成されるのが好ましい。以下の説明では、端末装置４はスマートフォン等の携帯端末で構成されているものとして説明する。
【００２０】
端末装置４は、図２に示すように、プロセッサ４１と、ＲＯＭ４２と、ＲＡＭ４３と、補助記憶装置４４と、タッチパネルディスプレイ４５と、無線通信部４６と、を有し、これらがバス４７で接続されている。
【００２１】
プロセッサ４１は、端末装置４全体の動作を制御する演算装置である。プロセッサ４１は、ＲＯＭ４２や補助記憶装置４４に格納されているコンピュータプログラムを実行する。
【００２２】
ＲＯＭ４２は、端末装置４の起動に必要なプログラムやデータ等が格納されている不揮発性メモリである。ＲＡＭ４３は、プロセッサ４１が動作する際に必要なデータ等を一時的に記憶するワークメモリ等として機能する。
【００２３】
補助記憶装置４４は、オペレーティングシステム（ＯＳ）や各種アプリケーション等を保存する大容量の不揮発性メモリなどである。
【００２４】
タッチパネルディスプレイ４５は、ユーザの操作入力を受け付けるタッチパネルを有する周知の表示装置である。
【００２５】
無線通信部４６は、不図示のアンテナを通じて例えば、ＬＴＥ（Long Term Evolution）や無線ＬＡＮ（Local Area Network）等の無線通信を行う。
【００２６】
データベース２は、図１に示したように、売上情報データベース２ａを有する所謂データベースサーバである。売上情報データベース２ａは、書籍名（タイトル）や書籍コードとそれらに対応する書籍の１日当たりの販売数が書店毎に販売開始日から１日ごとに関連付けて蓄積されている。即ち、データベースに２は、複数の店舗における書籍のタイトル毎の売上実績情報が格納されている。
【００２７】
書籍コードとは、書籍固有に付されるコードであり、例えば書籍の裏表紙等にバーコード等で印刷されている。また、販売情報データベース２ｂに蓄積される書店４は、なるべく多くの書店４の情報が集計されていることが好ましい。
【００２８】
データベース２は、サーバ１からの要求に基づいて、売上情報データベース２ａに登録されている全書店の書籍ごとの販売数を１週間毎に集計して出力する。なお、本実施形態のようにデータベース２を独立して設けずに、売上情報データベース２ａをサーバ１が有する構成としてもよい。
【００２９】
サーバ１は、データベース２から上述した販売数を取得し、例えば１週間ごとの売上ランキングを生成して、前周（前回）の売上ランキングと今週（今回）の売上ランキングとから書店毎に書棚毎の陳列推奨書籍情報を生成して端末装置４に送信する。なお、本実施形態では、サーバ１が陳列推奨書籍情報を生成するものとして説明するが、売上ランキングの情報を端末装置４へ送信して端末装置４で陳列推奨書籍情報を生成してもよい。
【００３０】
ここで、書籍を陳列する方法としては、上述したように平台、面陳、棚挿の３種類がある。これらの陳列の具体例を図３に示す。平台は、図３の符号Ａや符号Ｂに示したように、書籍の表紙を上に向けて積み上げていく陳列方法であり、１タイトルにつき多くの冊数を陳列できる。面陳は、図３の符号Ｃで示したように、書棚に表紙を見せて陳列する方法であり、人の目線の高さの近くに置くことができる。棚挿は、書棚に背表紙が向くように陳列する方法である。なお、以下の説明では、平台、面陳、棚挿を陳列方法に限らず、必要に応じて当該陳列方法に用いる書棚の種類を示す用語としても用いる。
【００３１】
サーバ１で生成される陳列推奨書籍情報は、例えば、売上ランキングの最上位に含まれる書籍を平台の書棚に配置し、平台に配置した書籍に次ぐランキングの書籍を面陳の書棚に配置し、売上ランキングで面陳に配置された書籍以下のランキングの書籍を棚挿の書棚に配置するようにする。なお、このとき各書棚のスペースも考慮して陳列推奨書籍情報を生成してもよい。例えば、平台等の書棚に配置できる書籍のタイトル数を予め書店毎にサーバ１に登録し、その書店の書棚の大きさに応じて売上ランキングの上位から順に平台、面陳、棚挿と分類してもよい。また、全国の書店の売上実績を集計した結果に基づくランキングでなく、例えば対象書店と店舗の規模（売場面積）が同等の店舗、売り上げの傾向が類似（コミックの売上が多い等）といった店舗のみで集計した結果に基づくランキングであってもよい。つまり、特定の項目の相関率の高い店舗のみからランキングを算出してもよい。
【００３２】
次に、上述した構成の端末装置４における動作を図４のフローチャートを参照して説明する。図４のフローチャートは、例えば端末装置４のプロセッサ４１で実行されるアプリケーションプログラム（アプリ）として構成されている。即ち、当該アプリが書棚整理支援プログラムとして機能する。
【００３３】
まず、ステップＳ１において、サーバ１から陳列推奨書籍情報を取得するために、サーバ１にログインする。図５にログイン画面の例を示す。図５に示したように、タッチパネルディスプレイ４５にＵｓｅｒＩＤとＰａｓｓｗｏｒｄの入力画面を表示してそれぞれの入力を促す。
【００３４】
次に、ステップＳ２において、サーバ１から陳列推奨書籍情報を取得する。この陳列推奨書籍情報は、上述したように、売上ランキングに基づいて生成された書籍の情報であり、平台、面陳、棚挿等の書棚毎に生成されている。即ち、プロセッサ４１は、所定間隔（例えば、１週間）で生成される書棚毎の陳列を推奨する書籍情報を取得する書籍情報取得手段として機能する。
【００３５】
次に、ステップＳ３において、端末装置４の使用者（店員等）が整理対象とする書棚を選択する。図６に書棚選択時のタッチパネルディスプレイ４５の表示例を示す。図６に示したように、書棚選択時の表示画面は、平台１、平台２、面陳、棚挿の４種類が表示されており、この画面から整理対象とする書棚をタッチ等により選択する。即ち、タッチパネルディスプレイ４５は、整理対象とする書棚を選択する選択手段として機能する。また、プロセッサ４１は、選択手段から選択結果を取得する選択結果取得手段として機能する。
【００３６】
平台１は、例えば図３の符号Ａの部分に該当する書棚であり、本実施形態では例えば新刊書籍を陳列する。平台２は例えば図３の符号Ｂの部分に該当する書棚であり、本実施形態では上述したように例えば売上ランキング上位の書籍を陳列する。
【００３７】
面陳は例えば図３の符号Ｃの部分に該当する書棚であり、棚挿は例えば図３の符号Ｄの部分に該当する書棚である。
【００３８】
また、図６において各書棚の欄はそれぞれ異なる色で表示されている。図６の場合は、平台１は紫色、平台２は青色、面陳は黄緑色、棚挿は黄色となっており、これらの色が、それぞれの書棚を視覚的に識別するための属性となっている。即ち、表示手段に表示される際に視覚的に識別可能な所定の属性が書棚毎に定められている。
【００３９】
なお、本実施形態では、書棚を識別するための属性は色としているが、他の属性としてハッチング、フォント、或いは〇、△、☆といった印を付加するといったタッチパネルディスプレイ４５上で視覚的に識別できるようなものであればよい。
【００４０】
また、図６では、平台１、平台２、面陳、棚挿の４種類のみであったが、例えば新規入荷した書籍のリストを表示する入荷、返品すべき書籍のリストを表示する返品、或いは委託等を加えてもよい。
【００４１】
図４の説明に戻る。ステップＳ４において、ステップＳ３で選択した書棚についての陳列推奨書籍情報をタッチパネルディスプレイ４５に表示させる。即ち、タッチパネルディスプレイ４５は、所定間隔（例えば、１週間）で生成される書棚毎の陳列を推奨する書籍情報を表示する表示手段として機能する。
【００４２】
図７に面陳の陳列推奨書籍情報の表示例を示す。図７において、画面最上段には、選択された書棚名が表示される書棚名表示部４５ａが設けられている。書棚名表示部４５ａは、上記説明した書棚の属性を示す色で表示される。図７の場合は黄緑色で表示される。
【００４３】
なお、この書棚の属性（色）の情報は、サーバ１が生成した陳列推奨書籍情報に予め含めてもよいし、端末装置４で表示する際（ステップＳ４実行時）に生成するようにしてもよい。端末装置４で色の情報を生成する場合は、サーバ１が生成する陳列推奨書籍情報には、例えば属性を付与するために必要な情報をサーバ１側で予め含めればよい。このようにすることにより、例えば、店舗毎や端末毎に属性の設定を容易に変更することができる。
【００４４】
書棚名表示部４５ａの下にはロケーションコード、品名、分類等の項目名表示部４５ｂが設けられている。ロケーションコードは、品名で示される書籍が陳列されている書棚の位置を示す。品名は、書籍のタイトルを示す。分類は、書籍の属するカテゴリ（コミック、新書等）を示す。なお項目名表示部４５ｂに表示する項目名としては、図７に示した３種類以外があってもよい。但し、書籍を整理するという観点から少なくとも品名は含むものとする。
【００４５】
項目名表示部４５ｂの下には具体的な書籍の品名等が表示される書籍表示部４５ｃが設けられている。書籍表示部４５ｃには、先週の売上ランキングに基づいて面陳で陳列することを推奨する書籍がリスト状に表示される。なお、書籍表示部４５ｃはスクロールが可能な態様で表示してもよい。
【００４６】
ここで、書籍表示部４５ｃに表示される書籍のうち、今週の売上ランキングに基づいて面陳で陳列することを推奨される書籍（行）については、書棚名表示部４５ａと同じ色（面陳を示す色（黄緑色））で表示する。例えば、図７の場合、ハッチングをしたタイトル２、３、５、６、８、９の行は黄緑色で表示されているものとする。そのため、これらの書籍が現時点（整理をする時点）では面陳の書棚で陳列することが推奨される書籍である。
【００４７】
一方、先週の売上ランキングに基づくと面陳が推奨されていたが、今週の売上ランキングに基づくと他の書棚に陳列することが推奨される書籍については、移動先（今週陳列を推奨する書棚）の色で表示する。例えば、図７において、タイトル１（書籍表示部４５ｃの１行目）が黄色で表示されている場合は、当該タイトル１にかかる書籍は棚挿の書棚で陳列することが推奨される。また、タイトル４（書籍表示部４５ｃの４行目）が青色で表示されている場合は、当該タイトル４にかかる書籍は平台２の書棚で陳列することが推奨される。
【００４８】
なお、図７に示した画面において、特定の条件を設定して表示される書籍を絞り込めるような手段（ボタンやメニュー等）を設けてもよい。このような手段により、例えば、今週入れ替わる書籍（他の書棚へ移動する書籍）のみに絞り込んで表示ことができる。このようにすることで、より変化が分かり易い情報を表示することができる。また、今週入れ替わらない書籍（同じ書棚のまま移動しない書籍）のみに絞り込んで表示するできるようにしてもよい。また、項目名表示部４５ｂに示したロケーションコードや分類で絞り込めるようにしてもよい。
【００４９】
また、先週の売上ランキングに基づくと平台２が推奨されていたが、今週の売上ランキングに基づくと面陳で陳列することが推奨される書籍については、上述した説明から明らかなように、平台２の陳列推奨書籍情報に表示される。したがって、図６の書棚選択時の画面を表示させて平台２を選択して、表示された平台２の陳列推奨書籍情報において、黄緑色で表示されている書籍が平台２から面陳へ移動させることが推奨される書籍であることがわかる。
【００５０】
即ち、タッチパネルディスプレイ４５（選択手段）で選択された書棚についての陳列推奨書籍情報において、今週（今回）陳列を推奨する書籍は当該選択された書棚と同じ属性が付与されてタッチパネルディスプレイ４５（表示手段）に表示され、前週（前回）陳列を推奨していたが今回は推奨外となった書籍は今週（今回）陳列を推奨する書棚の属性が付与されてタッチパネルディスプレイ４５（表示手段）に表示されている。そして、プロセッサ４１は、上述したような表示をさせる表示制御手段として機能する。
【００５１】
図４の説明に戻る。ステップＳ５において、他の書棚の整理を行う場合（ＹＥＳの場合）は、ステップＳ３に戻り再度書棚の選択を行う。他の書棚の整理を行わない場合（ＮＯの場合）は、本フローチャートが終了する。
【００５２】
次に、上述した端末装置４を使用した書棚の整理作業の例を説明する。例えば、平台２の書棚を整理する場合は、図４のフローチャートに従って、ログイン、平台２の書棚の選択をして、陳列推奨書籍情報を表示させる。そして、書店の店員等は、端末装置４に表示された陳列推奨書籍情報と整理対象の書棚（平台２）の状態とを見比べて、書籍表示部４５ｃに平台２と同じ色（青色）で表示された書籍のみが平台２の書棚に陳列されるように書棚の陳列状態を整理する。つまり、青色で表示された書籍のみを平台２の書棚に陳列するように書籍を入れ替える。ここで、平台２の書棚での陳列でなくなった書籍は、書籍表示部４５ｃを参照して、その書籍が表示されている色の示す書棚（例えば、面陳）へ移動させる。
【００５３】
次に、面陳の書棚を整理するとする。面陳の書棚を整理する場合は、図４のフローチャートに従って、面陳の書棚の選択をして、図７のような陳列推奨書籍情報を表示させる。そして、書店の店員等は、端末装置４に表示された陳列推奨書籍情報と整理対象の書棚（面陳）の状態とを見比べて、書籍表示部４５ｃに面陳と同じ色で表示された書籍のみが面陳の書棚に陳列されるように書棚の陳列状態を整理する。つまり、黄緑色で表示された書籍のみを面陳の書棚に陳列するように書籍を入れ替える。ここで、面陳の書棚での陳列でなくなった書籍は、図７の書籍表示部４５ｃを参照して、その書籍が表示されている色の示す書棚へ移動させる。
【００５４】
このようにして各書棚の整理が行われる。つまり、今回（今週の売上ランキング）の推奨情報に基づいた陳列とするように整理を行うので、整理作業前の陳列を推奨情報に合わせるように整理作業するため作業効率を向上させることができる。したがって、過去（前回）にどの書棚に陳列されていたかといった情報は不要となる。換言すれば不要な情報は表示しないことで作業者が迷わずに整理作業をすることができる。
【００５５】
以上に説明した本実施形態によれば、端末装置４は、１週間毎にサーバ１で生成される陳列推奨書籍情報を取得するプロセッサ４１と、整理対象とする書棚を選択するとともに、プロセッサ４１が取得した陳列推奨書籍情報が表示されるタッチパネルディスプレイ４５と、を有している。そして、タッチパネルディスプレイ４５に表示される際に視覚的に識別可能な所定の属性が書棚毎に定められている。そして、タッチパネルディスプレイ４５で選択された書棚についての陳列推奨書籍情報において、今週陳列を推奨する書籍は当該選択された書棚と同じ色で表示され、先週陳列を推奨していたが今回は推奨外となった書籍は今回陳列を推奨する書棚と同じ色で表示されている。このようにすることにより、書棚ごとに今週陳列を推奨する書籍が属性により表示されるため、作業効率が向上し、売り上げに応じた適切な書棚で陳列することができるようになる。
【００５６】
また、書棚の種類が色で判別できるので、陳列を推奨する書籍とそうでない書籍とが一目瞭然に表示される。
【００５７】
また、陳列推奨書籍情報は、対象書店を含む複数書店の売上ランキングに基づいて生成されているので、売り上げの良い書籍を平台等の目立つ陳列にすることができる。
【００５８】
なお、本発明は上記実施形態に限定されるものではない。即ち、当業者は、従来公知の知見に従い、本発明の骨子を逸脱しない範囲で種々変形して実施することができる。かかる変形によってもなお本発明の書棚整理支援装置および書棚整理支援プログラムの構成を具備する限り、勿論、本発明の範疇に含まれるものである。
【符号の説明】
【００５９】
４          携帯端末（書籍整理支援装置）
４１        プロセッサ（書籍情報取得手段、選択結果取得手段、表示制御手段）
４５        タッチパネルディスプレイ（選択手段、表示手段）
【図１】
2019219860.tif 000003
【図２】
2019219860.tif 000004
【図３】
2019219860.tif 000005
【図４】
2019219860.tif 000006
【図５】
2019219860.tif 000007
【図６】
2019219860.tif 000008
【図７】
2019219860.tif 000009